(57)【要約】【課題】プラスチックフィルム、紙等のフィルム状物を心軸に巻回してなるロールを積載するためのロール積載用パレットに関し、安全且つ確実にロールを運搬及び保管できるようにした、ロール積載用パレット及びロール積載構造を提供することを目的とする。【解決手段】フィルム状物を心軸３２回りに巻回してなるロール３３を積載するロール積載用パレットに、パレットの底面部を形成するパレット本体１と、パレット本体１上に、互いに対向するとともに心軸３２の軸方向に移動可能に立設された１対の架台２と、各架台２に設けられ、心軸３２の端部を把持しうる把持部と、各架台２をパレット本体１に対して心軸３２の軸方向へ係止する軸方向係止構造９，２１と、各架台２を、パレット本体１に対して鉛直方向へ係止する鉛直方向係止構造４０，４１とを設ける。【選択図】        図１
2004331114.tif 000002
【特許請求の範囲】
【請求項１】
フィルム状物を心軸回りに巻回してなるロールを積載するロール積載用パレットであって、
該パレットの底面部を形成するパレット本体と、
該パレット本体上に、互いに対向するとともに該心軸の軸方向に移動可能に立設された１対の架台と、
上記の各架台に設けられ、該心軸の端部を把持しうる把持部と、
上記の各架台を該パレット本体に対して該心軸の軸方向へ係止する軸方向係止構造と、
上記の各架台を、該パレット本体に対して鉛直方向へ係止する鉛直方向係止構造と、が設けられている
ことを特徴とする、ロール積載用パレット。
【請求項２】
該軸方向係止構造は、鉛直方向に形成された鉛直方向穴部と第１のピンとを備えて構成され、
該鉛直方向係止構造は、水平方向に形成された水平方向穴部と第２のピンとを備えて構成されている
ことを特徴とする、請求項１記載のロール積載用パレット。
【請求項３】
上記の各架台は、該パレット本体のなす面に沿い且つ該心軸の軸方向と直交する向きに延在するとともに、該心軸の軸方向へ移動可能に設けられたベースを介して、該パレット本体に備えられ、
該ベースの一側又は両側に、該ベースに沿って延在する補強部材が固設されている
ことを特徴とする、請求項１又は２記載のロール積載用パレット。
【請求項４】
フィルム状物を心軸回りに巻回してなるロールを積載するロール積載用パレットであって、
該パレットの底面部を構成するパレット本体と、
該パレット本体上に、互いに対向するとともに該心軸の軸方向に移動可能に立設された１対の架台と、
該パレット本体のなす面に沿い且つ該心軸の軸方向と直交する向きに延在するように配設され、該架台下部に設けられたベースとを備え、
該ベースの一側又は両側に、該ベースに沿って延在する補強部材が固設されている
ことを特徴とする、ロール積載用パレット。
【請求項５】
フィルム状物を心軸回りに巻回してなるロールを、ロール積載用パレットに積載するロール積載構造であって、
該ロール積載用パレットに、
互いに対向するように立設され、該心軸の端部を把持しうる把持部を備えた１対の架台が設けられるとともに、
該心軸の端部と同軸に連結可能であって、該心軸の端部外周の該フィルム状物が巻回されていない露出部位の軸方向長に応じて該心軸に着脱されるアダプタが備えられ、
該ロールは、該心軸の各端部を直接又は該アダプタを介して該把持部に把持されて該ロール積載用パレットの該架台上に積載される
ことを特徴とする、ロール積載構造。
【請求項６】
該露出部位が該把持部による必要把持長以上ならば、該把持部により該露出部位を直接把持させ、該露出部位の軸方向長が該必要把持長未満ならば、該心軸両端に該アダプタを連結して該把持部により該アダプタを把持させる
ことを特徴とする、請求項５記載のロール積載構造。
【請求項７】
該心軸の両端部にそれぞれアダプタが嵌入された状態で、該両アダプタを相互に連結するアダプタ連結部材を備えている
ことを特徴とする、請求項５又は６記載のロール積載構造。
【請求項８】
該心軸及び該アダプタが何れも中空軸状に形成され、
該アダプタ連結部材は、
上記各アダプタに軸方向外側から係合する一対のアダプタ係合部材と、
上記の各アダプタ係合部材に形成された軸穴と該心軸及び該アダプタの中空内部とを貫通し、一端を一方の該アダプタ係合部材に係止させ、他端を他方の該アダプタ係合部材から突出させた長尺ボルトと、
該長尺ボルトの突出端に螺合締結されるナットとから構成されている
ことを特徴とする、請求項７記載のロール積載構造。
【請求項９】
該アダプタの他端の該把持部に把持される部位の外周面は、該把持部に把持される該心軸の両端部外周と同程度以上に粗面に形成されていることを特徴とする、請求項５〜８のいずれか１項に記載のロール積載構造。
【請求項１０】
該架台は、該心軸の軸方向に可動に構成されている
ことを特徴とする、請求項５〜９のいずれか１項に記載のロール積載構造。
【請求項１１】
上記の両架台に、該心軸の軸方向に移動して該ロールの側面に当接して該ロール側面を支持するロール側面支持部材が設けられている
ことを特徴とする、請求項５〜１０のいずれか１項に記載のロール積載構造。
【請求項１２】
請求項１〜４のいずれか１項に記載されたロール積載用パレットを備えた
ことを特徴とする、請求項５〜１１のいずれか１項に記載のロール積載構造。
【発明の詳細な説明】
【０００１】
【発明の属する技術分野】
本発明は、プラスチックフィルム、紙等のフィルム状物を心軸に巻回してなるロールを積載するためのロール積載用パレット及びロール積載構造に関する。
【０００２】
【従来の技術】
たとえば連続するプラスチックフィルムや連続紙等のフィルム状のもの（以下適宜、フィルム状物という）は生産時に心軸に巻回されてロールとされる。このようなロールは、一般にロール積載用パレット（以下適宜、単にパレットという）に積載された状態で運搬又は保管される。
【０００３】
このようなパレットは、種々開発されており、例えば、図８〜図１１は特許文献１に開示されたパレットの構成を示すもので、図８はその正面図、図９はその平面図、図１０はその側面図、図１１はその要部斜視図である。
以下、図面を参照して、従来のパレットについて説明するが、以下に示す図８〜図１０はいずれも左右対称に描かれており、左右対称に存在する部材の一部については、左右のうち一方の符号を省略している。
【０００４】
図８に示すように、この構成では、フォークリフトのフォーク（図示略）の差込が可能なフォーク挿入空間１ａを下方に備えたパレット本体１の上面に、左右一対のロール支持用の架台２を互いに対向させて接脱可能に立設し、これらの架台２に心軸３２の軸方向（以下、単に軸方向という）へロール３３が竹の子状に滑り出ることを防止する保護板３をそれぞれ設けている。
【０００５】
図９に示すように、パレット本体１は、長方形に枠組みされた外枠４と、この外枠４の内側に軸方向と直交する方向に向けて掛け渡された２本の横梁５と、各横梁５と外枠４との間に軸方向に向けそれぞれ介設された２本の架台固定梁６と１本の架台支持梁７とを備え、これらの部材からパレットの底面部を構成している。そして、外枠４の四隅にはそれぞれパレット段積み用の支柱８が立設されている。架台支持梁７は、架台固定梁６の中間に配置されている。また、各架台固定梁６にはそれぞれ、架台２を位置決めするために、鉛直方向に向けて架台固定用孔９が複数並んで形成されている。この架台固定用孔９の個数及びピッチは、積載しようとするロール３３の大きさ（特に、軸方向長）にあわせて、予め系統的に設定されており、なるべく少ない種類のパレットを種々のロール３３に対して広範囲に利用できるようになっている。なお、本明細書においてはパレットは水平な地面に置かれた状態であるとして説明する。このため、外枠４がなす面は本明細書においては水平面と平行となる。
【０００６】
図１０に示すように、支柱８は、下部支柱１０に上部支柱１１を挿着した構成となっており、上部支柱１１は、支柱挿着部１２において上部支柱１１に形成された長穴（図示せず）と中折れピン１３とを介して内側に折り畳み可能とされている。また、上部支柱１１が起立する時には、倒れ防止キー１４が支柱係止溝１５に係合して上部支柱１１が倒れることを防止する。
【０００７】
なお、架台２は、ベース１６を介してパレット本体１上に設置さている。
このベース１６は、外枠４がなす面と平行かつ心軸と直交する向きに配置される１つの基部１８と、この基部１８の両端部の上面に立設するように固設された２つの脚部１９と、基部１８の中央下面に固設された係止部材２０とを備えている。なお、基部１８及び各脚部１９は架台固定梁６の上方に位置し、架台固定梁６によって支持されている。
【０００８】
また、係止部材２０は架台支持梁７の外周を囲むようにコ字形状に形成されており、これによりベース１６は、架台支持梁７の長手方向、即ち、軸方向に移動可能に係止されている。さらに、ベース１６の基部１８には、図１１に示すように架台固定用ピン２１が下方に突設されており、この架台固定用ピン２１を架台固定用孔９に嵌め込むことで架台２をパレット本体１に対して軸方向に固定できるようになっている。
【０００９】
架台２は、左右一対の支柱部２２と、これらの支柱部２２の上端に両端部を固設されたロール支持梁２３とから門形に形成されている。ロール３３を支持するロール支持梁２３の中央には、ロール把持面にゴムライニングを備えたロール把持用の把持部２４が設けられている。
ところで、図１０，図１１に示すように、架台２の支柱部２２はベース１６の脚部１９内に上方から嵌装されるようになっている。つまり、ベース１６の脚部１９は、上方から支柱部２２を挿着できるように上部開口の中空状に形成された架台挿着部２５が設けられている。この架台挿着部２５の中空内部に架台２の支柱部２２を上方から内挿して、架台２をベース１６に設置するのである。一方、この架台挿着部２５において、架台２をベース１６から上方に引き抜くことで、架台２をベース１６から離脱させて、ベース１６に対して折り畳むことができるようになっている。
【００１０】
架台２の支柱部２２下端には、支柱止め用の凸部２６が支柱部２２表面から張り出しており、また架台挿着部２５には凸部２６に対応した形状の架台係止溝２７が形成されている。架台２を起立状態とする時には、この架台係止溝２７に凸部２６を挿し込んで架台２をベース１６に固定し、一方、架台２を折り畳む時には、架台２を引き上げてこの凸部２６を架台係止溝２７から外しパレット本体１上で折り畳む。
【００１１】
ロール側面支持部材としての保護板３は、この架台２に装備されている。架台２の支柱部２２間に取付梁２８が架設され、この取付梁２８には雌ネジ部２９が形成されれており、この雌ネジ部２９に螺合する雄ネジ状の回転軸３０の一端に保護版３が取り付けられていて、回転軸３０の他端にはハンドル３１が取り付けられている。この回転軸３０はハンドル３１によって回転操作できるようになっており、ハンドル３１を回すことで、保護板３を軸方向に進退調整できるようになっている。
【００１２】
従来例としてのロール積載用パレットは以上のように構成されており、パレットへのロールの積載は次のように行なうことができる。図８において、心軸３２にフィルム状物を巻回されてなるロール３３を二点鎖線で示すが、ロール積載時には、まずロールの心軸３２の長さにあわせて架台２を架台支持梁７に沿って移動させ、両架台７を互いに接近又は離隔させて両架台７の距離を調整し、架台固定用孔９に架台固定用ピン２１を嵌め込んで架台２の位置決め及び固定をする。
【００１３】
次に、両架台２の把持部２４に心軸３２の両端を載せ、ロール３３を架台２に支持させる。
続いてハンドル３１を回して保護板３を架台２から突出させ、保護板３でロール３３の両側面を挟持させる。これにより、保護板３はロール状に巻回したフィルム状物が心軸方向に竹の子状に滑り出ることを防止する。
【００１４】
また、パレットを使用しない時には、架台２及び上部支柱１１を折り畳んでおく。これにより、パレット自体の運搬・保管に要する空間を節約できる。
【００１５】
【特許文献１】
特開平５−１１２３５８公報
【００１６】
【発明が解決しようとする課題】
しかしながら、上述のように構成された従来例のロール用パレットでは、ロールを必ずしも安全且つ確実に運搬（フォークリフトによる搬送，車両による運送等を含む）や保持することが困難であるという課題がある。
すなわち、フィルム状物を心軸３２に巻回してロール３３とする時、フィルム状物の幅が大きかったり巻回する位置がずれてしまったりして、把持部２４に把持させる心軸３２の端部の露出部位（以下適宜、単に露出部位という）が小さくなり、運搬時の振動などによりロール３３が把持部２４から外れてしまったり、把持部２４に把持させる露出部位が無くなり、パレットを使用すること自体ができなくなったりすることがあった。
【００１７】
また、従来技術では架台２を鉛直方向には特に係止していない。これは、運搬時などに鉛直方向への振動や力が働いても、ロール３３自体が大重量であるために、架台２はパレット本体１と接離可能に設置されていてもこの架台２に加わるロール３３の重量によって架台２が飛び跳ねることは無いと考えられてきたためである。ところが実際には、パレットでロール３３を運搬する時に生じる振動などにより架台２が飛び跳ねることがあり、ロール３３が痛んだり、凸部２６が架台係止溝２７から外れてしまったりする等の虞があった。
【００１８】
さらに、フォークリフトで運搬する際の横揺れ等により、軸方向の力がこのパレットに加わると、ベース１６とパレット本体１とが接する部分に大きな力が加わり、ベース１６が破損することがあった。
もちろん、ベース１６を肉厚化、大型化すれば破損を防止できるが、重量増や大型化を招き好ましくない。特に、ベース１６の軸方向の大きさは可能な限り小さくしたい。
【００１９】
本発明は、上述の課題に鑑み創案されたもので、プラスチックフィルム、紙等のフィルム状物を心軸に巻回してなるロールを積載するためのロール積載用パレットに関し、安全且つ確実にロールを運搬及び保管できるようにした、ロール積載用パレット及びロール積載構造を提供することを目的とする。
【００２０】
【課題を解決するための手段】
このため請求項１記載の本発明のロール積載用パレットは、フィルム状物を心軸回りに巻回してなるロールを積載するロール積載用パレットであって、該パレットの底面部を形成するパレット本体と、該パレット本体上に、互いに対向するとともに該心軸の軸方向に移動可能に立設された１対の架台と、上記の各架台に設けられ、該心軸の端部を把持しうる把持部と、上記の各架台を該パレット本体に対して該心軸の軸方向へ係止する軸方向係止構造と、上記の各架台を、該パレット本体に対して鉛直方向へ係止する鉛直方向係止構造と、が設けられていることを特徴とする。これにより、運送時にロールに大きな振動が加わったとしても、上記架台を上記パレット本体に確実に固定しておくことができる。
【００２１】
なお、該軸方向係止構造が、鉛直方向に形成された鉛直方向穴部と第１のピンとを備えて構成され、該鉛直方向係止構造が、水平方向に形成された水平方向穴部と第２のピンとを備えて構成されるようにしてもよい。これにより、水平方向及び鉛直方向において、簡単な構成で確実に上記架台を上記パレット本体に固定することができる（請求項２）。
【００２２】
また、上記の各架台が、該パレット本体のなす面に沿い且つ該心軸の軸方向と直交する向きに延在するとともに、該心軸の軸方向へ移動可能に設けられたベースを介して、該パレット本体に備えられ、該ベースの一側又は両側に、該ベースに沿って延在する補強部材が固設されていてもよい。これにより、上記架台の要部の心軸の軸方向厚さを抑えながら、上記補強部材によって上記架台の剛性・強度を増大させることができる（請求項３）。
【００２３】
請求項４記載の本発明のロール積載用パレットは、フィルム状物を心軸回りに巻回してなるロールを積載するロール積載用パレットであって、該パレットの底面部を構成するパレット本体と、該パレット本体上に、互いに対向するとともに該心軸の軸方向に移動可能に立設された１対の架台と、該パレット本体のなす面に沿い且つ該心軸の軸方向と直交する向きに延在するように配設され、該架台下部に設けられたベースとを備え、該ベースの一側又は両側に、該ベースに沿って延在する補強部材が固設されていることを特徴とする。これにより、上記ベースの要部の軸方向厚さを抑えながら、上記補強部材によって上記ベースの剛性・強度を確実に増大させることができる。
【００２４】
請求項５記載の本発明のロール積載構造は、フィルム状物を心軸回りに巻回してなるロールを、ロール積載用パレットに積載するロール積載構造であって、該ロール積載用パレットに、互いに対向するように立設され、該心軸の端部を把持しうる把持部を備えた１対の架台が設けられるとともに、該心軸の端部と同軸に連結可能であって、該心軸の端部外周の該フィルム状物が巻回されていない露出部位の軸方向長に応じて該心軸に着脱されるアダプタが備えられ、該ロールは、該心軸の各端部を直接又は該アダプタを介して該把持部に把持されて該ロール積載用パレットの該架台上に積載されることを特徴とする。この構造によれば、上記心軸が把持部で直接把持し難い場合にアダプタを介して確実に把持することができる。
【００２５】
この場合、該露出部位が該把持部による必要把持長以上ならば、該把持部により該露出部位を直接把持させ、該露出部位の軸方向長が該必要把持長未満ならば、該心軸両端に該アダプタを連結して該把持部により該アダプタを把持させるようにしてもよい。これによれば、上記心軸の露出部分に軸方向長が把持部で直接把持するのに十分な把持長に達しない場合に、上記アダプタを介して上記心軸を確実に把持することができる（請求項６）。
【００２６】
また、上記アダプタを相互に連結するアダプタ連結部材を備え付けることで、両アダプタが上記心軸の両端部から外れないように固定することができる（請求項７）。
また、該心軸及び該アダプタを何れも中空軸状に形成し、該アダプタ連結部材を、上記各アダプタに軸方向外側から係合する一対のアダプタ係合部材と、上記の各アダプタ係合部材に形成された軸穴と該心軸及び該アダプタの中空内部とを貫通し、一端を一方の該アダプタ係合部材に係止させ、他端を他方の該アダプタ係合部材から突出させた長尺ボルトと、該長尺ボルトの突出端に螺合締結されるナットとから構成してもよい。これにより、上記両アダプタが上記心軸と一体に固定される（請求項８）。
【００２７】
また、上記アダプタの上記把持部には把持される部位の外周面を、上記把持部に把持される上記心軸の両端部外周面と同程度以上に粗面に形成してもよい。これによれば、上記アダプタを上記把持部で滑りのないように把持できる（請求項９）。
また、上記架台を、上記心軸の軸方向に可動に構成することで、種々の軸長の心軸に対応でき、アダプタの適宜の使用と組み合わせることで、種々のロールに対して適切に積載することができる（請求項１０）。
【００２８】
また、上記架台に、上記心軸の軸方向に移動して上記ロールの側面に当接して上記ロール側面を支持するロール支持部材を設けてもよい。これにより、上記フィルム状物が軸方向に滑って上記ロールが竹の子状に変形することを防止することができる（請求項１１）。
また、かかるロール積載構造において、上記ロール積載用パレットとして、上述したいずれかのものを用いてもよい（請求項１２）。
【００２９】
【発明の実施の形態】
以下、図面を参照して本発明の実施の形態を説明する。
図１〜図７は本発明の一実施形態としてのロール積載用パレット及びロール積載構造を示すもので、図１はそのロール積載用パレットの正面図、図２はそのパレットの平面図、図３はそのパレットの側面図、図４，図５はそのパレットの要部を拡大して示した斜視図、図６はロール積載構造を示す正面図、図７はその積載用に用いるアダプタ部分を拡大して示す斜視図であり、（ａ）は分解斜視図、（ｂ）は組立完了斜視図である。なお、図１〜図７において、図８〜図１１に示す従来例と実質同一部分には同符号を付して説明する。
【００３０】
図１，図２に示すように、パレットは、フォークリフトのフォーク（図示略）の差込が可能なフォーク挿入空間１ａを下方に備えたパレット本体１の上面に、互いに対向して接脱可能に立設された左右一対のロール支持用の架台２と、これらの架台２にロール３３が竹の子状に滑り出ることを防止する保護板３とを備えている。
【００３１】
パレット本体１は、長方形に枠組みされた外枠４と、この外枠４の内側に軸方向と直交する方向に向けて掛け渡された２本の横梁５と、各横梁５と外枠４との間に軸方向に向けそれぞれ介設された２本の架台固定梁６と１本の架台支持梁７とを備え、これらの部材からパレットの底面部を構成している。そして、外枠４の四隅にはそれぞれパレット段積み用の支柱８が立設されている。架台支持梁７は、架台固定梁６の中間に配置されている。また、各架台固定梁６にはそれぞれ、架台固定ピン２１とともに鉛直方向穴部として軸方向係止構造を構成する、架台固定用孔９が鉛直方向に向けて複数形成されている。この架台固定用孔９の個数及びピッチは、積載しようとするロール３３の大きさ（特に、軸方向長）にあわせて、予め系統的に設定されており、なるべく少ない種類のパレットを種々のロール３３に対して広範囲に利用できるようになっている。
【００３２】
図１に示すように、支柱８は、下部支柱１０に上部支柱１１を挿着した構成となっており、上部支柱１１は、支柱挿着部１２において中折れピン１３を介して内側に折り畳み可能とされている。また、上部支柱１１が起立する時には、倒れ防止キー１４が支柱係止溝１５に係合して上部支柱１１が倒れることを防止する。
【００３３】
なお、図３に示すように、架台２は、ベース１６を介してパレット本体１上に設置さている。
このベース１６は、外枠４がなす面に沿い、且つ、心軸３２と直交する向きに配置された１つの基部１８と、この基部１８の両端部の上面に立設するように固設された２つの脚部１９と、基部１８の中央下面に固設された係止部材２０とを備えている。基部１８及び各脚部１９は架台固定梁６の上方に位置し、架台固定梁６によって支持されている。
【００３４】
また、係止部材２０は架台支持梁７の外周を囲むようにコ字形状に形成されており、これによりベース１６は、架台指示梁７に沿って軸方向に移動可能に係止されており、且つ、パレット本体１に対して鉛直方向に係止されている。さらに、ベース１６の基部１８には、図４に示すように、架台固定用孔９とともに軸方向係止構造を構成する第１のピンとしての架台固定用ピン２１が下方に突設されており、この架台固定用ピン２１を架台固定用孔９に嵌め込むことで架台２はパレット本体１に対して軸方向に固定されるようになっている。
【００３５】
架台２は、左右一対の支柱部２２と、これらの支柱部２２の上端に両端部を固設されたロール支持梁２３とから門形に形成されている。ロール３３を支持するロール支持梁２３の中央には、ロール把持面にゴムライニングを備えたロール把持用の把持部２４が設けられている。
さらに、ロール支持梁２３の上方には心軸固定板３４が備えられており、ロール支持梁２３と心軸固定板３４とで協働してロール３３の心軸３２を把持できるようになっている。即ち、ロール支持梁２３の一端の上面に支持部３５が形成され、他端の上面にネジ穴３６が形成され、心軸固定板３４は、一端を支持部３５に回転可能にピン止めされることで、ロール支持梁２３の上面を覆うことができるように装備されている。また、心軸固定板３４の中央下面には、ロール把持用の把持部３７が形成されており、この把持部３７の内面（把持面）にはゴムライニングが装備されている。心軸固定板３４の他端（支持部３５とは逆の端部）には、心軸固定板３４を固定するための固定用ネジ３８が設置されていて、この固定用ネジ３８をネジ穴３６に螺合させることで、把持部２４と把持部３７との間でロール３３の心軸３２を把持するように構成されている。
【００３６】
図３，図４に示すように、架台２はベース１６の脚部１９内に上方から嵌装された構造となっていて、架台２は、支柱部２２に形成された長穴（図示せず）と折りたたみピン５６とを介して折りたたみ可能となっている。つまり、ベース１６の脚部１９は、上方から架台２を挿着できる上部開口の中空状に形成された架台挿着部２５が形成されていて、この架台挿着部２５の中空内部に架台２の支柱部２２が上方から内挿され、支柱部２２の長穴に折りたたみピン５６を嵌めて、架台２がベース１６に設置されている。一方、この架台挿着部２５において、架台２をベース１６から上方に引き抜くことで、架台２をベース１６から離脱させて、ベース１６に対して折り畳むことができるようになっている。
【００３７】
架台２の支柱部２２下端には、支柱止め用の凸部２６が支柱部２２表面から張り出しており、また架台挿着部２５には凸部２６に対応した形状の架台係止溝２７が形成されている。架台２を起立状態とする時には、この架台係止溝２７に凸部２６を挿し込んで架台２をベース１６に固定し、一方、架台２を折り畳む時には、架台２を引き上げてこの凸部２６を架台係止溝２７から外しパレット本体１上で折り畳む。
【００３８】
さらに、本実施形態においては、架台装着部２５に鉛直方向係止構造を構成する第２のピンとしての飛び跳ね防止ピン４０が水平方向に突設され、架台２の各支柱部２２の側面の凸部２６を装着された部分には、飛び跳ね防止ピン４０とともに鉛直方向係止構造を構成する水平方向穴部としての飛び跳ね防止孔４１が形成されている。つまり、飛び跳ね防止ピン４０を飛び跳ね防止孔４１内に嵌入させた状態に固定すれば、支柱部２２が鉛直方向に固定され、飛び跳ね防止ピン４０を飛び跳ね防止孔４１から離脱させれば、支柱部２２を脚部１９から取り外すことができるようになっている。なお、ここではハンドル部分及び着脱レバーも含んで飛び跳ね防止ピン４０としているが、この飛び跳ね防止ピン４０のピン本体は、破線で示す飛び跳ね防止孔４１内に嵌入しているのは言うまでもない。
【００３９】
また、図５に示すように、ベース１６よりも軸方向内側の、ベース１６とパレット本体１とが接する部分には、外枠４がなす面に沿って、且つ、軸方向に直交する向きに延在する補強部材４２が溶接等によりベース１６の基部１８及び脚部１９に固設されている。さらに、同様にベース１６よりも軸方向外側の、ベース１６とパレット本体１とが接する部分にも、外枠４がなす面に沿って、且つ、心軸と直交する向きに補強部材４３がベース１６の基部１８及び脚部１９に溶接等により固設されている。補強部材４２，４３は何れも基部１８とほぼ同じ長さに形成された棒状，柱状又は板状のものである。また、この補強部材４２，４３はいずれも断面を矩形（ここでは鉛直方向に長く、軸方向に短い）に形成され、側面がベース１６の脚部１９と平行で、且つ、底面が水平、即ち、外枠４がなす面と平行になるよう構成されている。なお、補強部材４２，４３は、中空材を用いれば効率よく補強（剛性向上，強度向上）を行なうことができるが、例えば軸方向に短いものならば、中実材（厚い板状材）により形成してもよい。
【００４０】
架台２の支柱部２２間には取付梁２８が架設され、この取付梁２８に雌ネジ部２９が設けられており、この雌ネジ部２８に螺合する雄ネジ状の回転軸３０の一端に保護版３が取り付けられていて、回転軸３０の他端にはハンドル３１が取り付けられている。この回転軸３０はハンドル３１によって回転操作できるようになっており、ハンドル３１を回すことで、保護板３をロール軸方向に進退調整できるようになっている。
【００４１】
ところで、図１の左右両方の把持部２４の軸方向距離の合計を必要把持長Ｌ１とすると、ロール３３の心軸３２は、心軸３２端部のフィルム状物が巻回されていない露出部位の軸方向長（露出部長）Ｌが、必要把持長Ｌ１以上である場合、即ち、把持部２４及び把持部３７全体で心軸３２を把持できる場合には、図１に二点鎖線で示すように、心軸３２を直接把持部２４，３７で把持させることができる。しかし、露出部長Ｌが必要把持長Ｌ１に達しない場合には、心軸３２の露出部位を把持部２４，３７の全体で把持できないために、心軸３２が把持部２４から外れ、ロール３３が落下する虞がある。これを防止するために、本実施形態では図６に示すように、メッキを施されたアダプタ４５を心軸３２に連結して把持部２４，３７で把持させるロール積載構造となっている。
【００４２】
このロール積載構造について説明すると、心軸３２は中空軸状に形成されていて、その両端にはアダプタ４５が設置されている。アダプタ４５は、図７に示すように、中空軸状に形成されており、アダプタ４５の一端である嵌入部４６は心軸３２の内径よりも小さく形成され、他端である固定部４７は心軸３２の外径と同じ大きさの径に形成されている。
【００４３】
嵌入部４６及び固定部４７はそれぞれ、ロール３３を支持するのに十分な軸方向の長さを有して形成されている。さらに、アダプタ４５の軸方向中央部には心軸３２の外形よりも大きい張出部４８が形成されている。したがって、嵌入部４６が心軸３２の端部に嵌め込まれると、固定部４７及び張出部４８は心軸３２の両端から突出する。
【００４４】
また、固定部４７の外周には滑り防止のために心軸３２の外周表面よりも表面を粗く形成された部分（以下、アラメという）４９が形成されている。
固定部４７端部には、中央部にボルト用孔５０を貫通させられた、アダプタ係合部材としてのアダプタ蓋５１が設けられている。アダプタ蓋５１の外周には、アダプタ蓋５１をアダプタ４５に係止する蓋係止部５２が形成されている。また、アダプタ蓋５１のボルト用孔５０には、心軸３２の両端に嵌入されたアダプタ４５のアダプタ蓋５１を連結する、長尺ボルト５３が貫通しており、長尺ボルト５３はナット５４で両アダプタ蓋５１に固定されていて、アダプタ蓋５１、長尺ボルト５３、及びナット５４がアダプタ連結部材５５を構成する。したがって、心軸３２の両端に嵌入された両アダプタ４５はアダプタ連結部材５５によって連結され、心軸３２の両端に嵌入されたアダプタ４５は、心軸３２とアダプタ４５の内部を貫通する長尺ボルト５３で連結されたアダプタ蓋５１とによって挟持されることとなる。なお、ここでは、長尺ボルト５３の両端にナット５４を螺合する特殊ボルトを例に説明したが、もちろん一般的なボルトを用いてもよい。この場合、ボルトの一端はボルトヘッドにより一方のアダプタ蓋５１に係止させることになる。
【００４５】
本発明の一実施形態としてのロール積載用パレット及びロール積載構造は上述のように構成されているので、ロール３３を積載する場合には、架台２間の距離が心軸３２の両端においてロール３３の軸方向距離よりも必要把持長Ｌ１だけ長くなるように、架台固定用孔９を選択することで、様々な軸長のロールに対してひとつのロール用パレットを使用することができる。
【００４６】
また、架台固定用孔９に架台固定用ピン２１を嵌入して、パレット本体１に架台２を固定することで、振動が発生した場合に架台２がパレット本体１に対して水平方向にずれることを防止することができる。
また、心軸３２を把持部２４，３７で上下から把持することで、心軸３２を確実にパレットに保持することができる。即ち、架台２の心軸固定板３４を上げて、架台２の把持部２４に心軸３２の露出部位を積載し、その後、心軸固定板３４を下ろして固定用ネジ３８で心軸固定板３４を架台２に固定することで、心軸３２の露出部位は、ゴムライニングを施された把持部２４と把持部３７とに挟まれて把持されるため、心軸３２が軸方向にずれることが防止される。
【００４７】
また、保護板３によってロール３３の側面が軸方向内側に挟持されているので、ロールが竹の子状に滑り出ることを防止することができる。つまり、ハンドル３１を回して両架台２に設置された保護版３をともに突出させ、ロール３３の側面に押し当てることで、ロール３３は保護板３に挟持され、ロール３３が振動のために竹の子状に変形することを防止することが可能となるのである。
【００４８】
また、飛び跳ね防止ピン４０が飛び跳ね防止孔４１に嵌め込まれているので、架台２は、鉛直方向に係止されることになり、運搬時に鉛直方向に振動が発生しても、架台２が飛び跳ねることを防止することができ、ひいては、ロール３３が飛び跳ねることも防ぐことができる。即ち、ロール３３は心軸３２とともに把持部３７で押圧・保持されているため、ロール３３が架台２から離脱することはなく、さらに、架台２は飛び跳ね防止ピン４０によりベース１６に固定されているため、ベース１６から離脱することがない。ベース１６は、取付枠２０によりパレット本体１に固定されているので、ロール３３はパレット本体１に固定されることとなり、ロール３３の飛び跳ねを防止することができる。
【００４９】
また、運搬時に水平方向の振動が発生しても、補強部材４２，４３が設置されているため、ベース１６の強度・剛性を強くすることができ、ベース１６が破損することを防止できる。
また、本実施形態のパレットは、使用しないときには支柱８を折り畳んでおくことができ、このためパレット自体を輸送するために要するスペースを節約できる。
【００５０】
一方、心軸の露出部長Ｌが必要把持長Ｌ１未満の心軸３２をパレットに積載する場合には、アダプタ４５を用いる。つまり、心軸３２の両端にアダプタ４５を嵌入し、心軸３２の内部及びアダプタ４５の内部を貫通する長尺ボルト５３でアダプタ蓋５１を連結して、アダプタ４５を心軸３２に対して固定する。これにより、心軸の露出部位が十分に無い、又は全く無いロールであってもパレットに積載することが可能となる。
【００５１】
ところで、心軸３２及びアダプタ４５は通常金属により形成されているため、心軸３２とアダプタ４５とが振動などにより擦れたり、アダプタ４５が傷つきそこから錆が発生したりすると、アダプタ４５近傍から金属粉が発生する虞がある。アダプタ４５はロール３３の近くにあるので、金属粉が発生するとロール３３に金属粉が付着し、ロール３３の品質を低下させる要因となる。しかし本実施形態においては、アダプタ４５にはメッキが施されているために、アダプタ４５が擦れたり傷ついて錆が発生したりすることにより金属粉が生じることを防ぐことができる。
【００５２】
また、固定部４７の外周にアラメ４９が形成されているため、アダプタ４５が把持部２４，３７で水平方向にずれることを防止できる。
また、両アダプタ４５がアダプタ連結部材５５で連結され、アダプタ４５が心軸３２を挟持しているため、アダプタ４５が心軸３２から離脱することなく、確実にアダプタ４５を心軸３２に固定することができる。また、心軸３２に対してアダプタ４５を固定することができるので、上記のように心軸３２とアダプタ４５とが擦れる虞は無く、金属粉の発生を防止することもできる。
【００５３】
また、このとき、アダプタ蓋５１には蓋係止部５２が形成されているため、アダプタ蓋５１がアダプタ４５の径方向にずれることが無い。
また、長尺ボルト５１の両端にナット５４を螺合させることで、長尺ボルト５１が軸方向一方のみに突出することを防止し、長尺ボルト５１の両端をバランスよくアダプタ蓋５１から突出させることができる。
【００５４】
このように、アダプタ４５を適宜利用することで、少数の型のロール積載用パレットで、様々な種類のロール３３に対して適切に積載することができ、さらに、保護板３の可動範囲を小さく設定しても、各種ロールに対応することができる。
なお、上述の構成ではベース１６を架台２とは別の構成要素として説明したが、ベース１６と架台２とを併せて本発明のパレット及びロール積載構造にかかる架台と認識しても、本願の要旨を外れるものではない。その場合は、飛び跳ね防止ピン４０及び飛び跳ね防止孔４１に加え、係止部２０を含めて鉛直方向係止構造が構成されていると見るべきである。
【００５５】
以上、本発明の実施形態を説明したが、本発明はかかる実施形態に限定されるものではなく、本発明の趣旨を逸脱しない範囲で種々変形して実施することができる。
例えば、ひとつのパレットに複数のロールを積載できるように、何対かの架台をひとつのパレットに設置してもよい。これにより、多数のロールを効率よく保持又は運搬することができる。
【００５６】
また、補強部材は断面四角形のブロック状でなくてもよく、また、溶接以外の方法で設置してもよく、適当な方法で補強を行なうようにすることができる。
また、アダプタの張出部の一部をロール側面に当接させるようにして、ロールが竹の子状に変形することを防止してもよい。これにより、架台の構成を簡単なものとすることができる。
【００５７】
また、フィルム状物が巻回されていない心軸の露出部位が十分にあるときに、アダプタを用いてもよい。これにより、架台の位置を調整することなく様々な軸方向長さのロールを保持又は運搬することができる。
また、架台とベースとを一体に構成して、架台の折り畳みをしない構成とすれば、架台の強度をより大きくすることができる。
【００５８】
また、支持部３５、ネジ穴３６、及び固定用ネジ３８をロール支持梁２３に溶接するなどして、心軸固定板３４をロール支持梁２３に対して固定してもよい。これによれば、架台の強度を大きくすることができるとともに、心軸やアダプタを確実に把持部で固定することができる。
【００５９】
【発明の効果】
以上詳述したように、請求項１記載の本発明のロール積載用パレットによれば、架台を心軸の軸方向に移動可能として、各架台を軸方向所定位置に配置した後、軸方向係止部材により、架台をパレット本体に対して重力方向に係止することが可能となるため、運送時にロールに大きな上下振動が加わったとしても、ロール及び架台がパレットから外れることはなく、上記架台をパレット本体に確実に固定しておくことができる。
【００６０】
請求項２記載の本発明のロール積載用パレットによれば、第１のピンを鉛直方向穴部から離脱させるとともに第２のピンを水平方向穴部から離脱させれば、架台が心軸の軸方向に移動可能となり、架台を所定の軸方向位置に配置した後、第１のピンを鉛直方向穴部に没入させれば、架台をパレット本体に対して心軸方向に係止することができ、さらに、第２のピンを水平方向穴部に没入させれば、架台をパレット本体に対して重力方向に係止することができる。すなわち、水平方向及び重力方向において、簡単な構成で確実に架台をパレット本体に固定することができる。
【００６１】
請求項３，４記載の本発明のロール積載用パレットによれば、架台の要部の軸方向厚さを抑えながら、補強部材によって架台の剛性・強度を増大させることができる。
請求項５記載の本発明のロール積載構造によれば、心軸が把持部で直接把持し難い場合に、アダプタを介してロールを確実に把持することができる。
【００６２】
請求項６記載の本発明のロール積載構造によれば、心軸の露出部位の軸方向長が把持部で直接把持するのに十分な把持長に達しない場合に、アダプタを介して確実に把持することができる。
請求項７記載の本発明のロール積載構造によれば、アダプタ連結部材によって各アダプタを相互に連結することで、両アダプタが心軸の両端部から外れないように固定することができる。
【００６３】
請求項８記載の本発明のロール積載用パレットによれば、長尺ボルト及びナットの締結によって、両係合部材を通じて両アダプタが心軸に軸方向に向けて挟みつけられるように相互に連結され、両アダプタが心軸と一体に固定される。
請求項９記載の本発明のロール積載用パレットによれば、アダプタを把持部ですべりのないように把持することができる。
【００６４】
請求項１０記載の本発明のロール積載用パレットによれば、同じ型のパレットで種々の軸長の心軸に対応することができ、アダプタの適宜の使用と組み合わせることで、種々のロールに対して適切に積載することが可能となる。
請求項１１記載の本発明のロール積載用パレットによれば、ロールが竹の子状に変形することを防止することができ、さらに、アダプタの適宜の使用によって、ロール側面支持部材の設定可動範囲を抑えることができる。
【００６５】
請求項１２記載の本発明のロール積載用パレットによれば、ロールを安全かつ確実に運搬・保持することができる。
【図面の簡単な説明】
【図１】本発明の一実施形態としてのロール積載用パレット及びロール積載構造を正面から見た正面図である。
【図２】本発明の一実施形態としてのロール積載用パレット及びロール積載構造を上方から見た平面図である。
【図３】本発明の一実施形態としてのロール積載用パレット及びロール積載構造を側面から見た側面図である。
【図４】本発明の一実施形態としてのロール積載用パレット及びロール積載構造の要部を拡大して示す斜視図である。
【図５】本発明の一実施形態としてのロール積載用パレット及びロール積載構造の要部を拡大して示す斜視図である。
【図６】本発明の一実施形態としてのロール積載用パレット及びロール積載構造を正面から見た正面図である。
【図７】本発明の一実施形態としてのロール積載用パレット及びロール積載構造の要部を拡大して示す斜視図である。
【図８】従来例としてのロール積載用パレット及びロール積載構造を正面から見た正面図である。
【図９】従来例としてのロール積載用パレット及びロール積載構造を上方から見た平面図である。
【図１０】従来例としてのロール積載用パレット及びロール積載構造を側面から見た側面図である。
【図１１】従来例としてのロール積載用パレットの要部を拡大して示す斜視図である。
【符号の説明】
１  パレット本体
１ａ  フォーク挿入空間
２  架台
３  保護板
４  外枠
５  横梁
６  架台固定梁
７  架台支持梁
８  支柱
９  架台固定用孔（鉛直方向穴部）
１０  下部支柱
１１  上部支柱
１２  支柱装着部
１３  中折れピン
１４  倒れ防止キー
１５  支柱係止溝
１６  ベース
１８  基部
１９  脚部
２０  係止部材
２１  架台固定ピン（第１のピン）
２２  支柱部
２３  ロール支持梁
２４，３７  把持部
２５  架台挿着部
２６  凸部
２７  架台係止溝
２８  取付梁
２９  雌ネジ部
３０  回転軸
３１  ハンドル
３２  心軸
３３  ロール
３４  心軸固定板
３５  支持部
３６  ネジ穴
３８  固定用ネジ
４０  飛び跳ね防止ピン（第２のピン）
４１  飛び跳ね防止孔（水平方向穴部）
４２，４３  補強部材
４５  アダプタ
４６  アダプタ４５の嵌入部
４７  アダプタ４５の固定部
４８  アダプタ４５の張出部
４９  固定部４７外周の、表面を粗く形成された部分（アラメ）
５０  ボルト用孔
５１  アダプタ蓋
５２  蓋係止部
５３  長尺ボルト
５４  ナット
５５  アダプタ連結部材
５６  折りたたみピン
【図１】
2004331114.tif 000003
【図２】
2004331114.tif 000004
【図３】
2004331114.tif 000005
【図４】
2004331114.tif 000006
【図５】
2004331114.tif 000007
【図６】
2004331114.tif 000008
【図７】
2004331114.tif 000009
【図８】
2004331114.tif 000010
【図９】
2004331114.tif 000011
【図１０】
2004331114.tif 000012
【図１１】
2004331114.tif 000013